(57)【特許請求の範囲】
【請求項１】
携帯電話の無線機器と、コードレス電話機の親機に無線接続可能なＰＨＳ（Ｐｅｒｓｏｎａｌ  Ｈａｎｄｙｐｈｏｎｅ  Ｓｙｓｔｅｍ）の無線機器と、通話相手の音声を出力するスビーカ及び使用者の音声を入力するマイクとを含む複合移動通信端末であって、
前記携帯電話の無線機器と前記ＰＨＳの無線機器と前記スピーカ及び前記マイクとの接続を携帯電話の無線機器による通話時とＰＨＳの無線機器による通話時と前記携帯電話の無線機器による通話をハンズフリーにて実現するハンズフリー通話時とに応じて切替える切替え手段と、
自機の待ち受け状態において一定時間毎にＰＨＳ公衆基地局及び前記コードレス電話機の親機の検索を行う手段と、
その検索で前記コードレス電話機の親機が検索された時に前記コードレス電話機の親機の待ち受け処理を行う手段とを有し、
前記ハンズフリー通話時に前記携帯電話の無線機器を前記切替え手段によって前記ＰＨＳの無線機器に接続し、前記ＰＨＳの無線機器を介してコードレス電話機の親機に接続することで、前記携帯電話の無線機器を前記ハンズフリー通話を実現するためのハンズフリー機器に前記コードレス電話機の親機を介して接続し、
前記切替え手段は、前記携帯電話の無線機器による通話時に前記携帯電話の無線機器と前記スピーカ及び前記マイクとを接続し、前記ＰＨＳの無線機器による通話時に前記ＰＨＳの無線機器と前記スピーカ及び前記マイクとを接続し、前記ハンズフリー通話時に前記携帯電話の無線機器と前記ＰＨＳの無線機器とを接続することを特徴とする複合移動通信端末。
【請求項２】
前記コードレス電話機の親機が検索された時に前記ＰＨＳ公衆基地局の圏外処理を行いかつ検索された前記コードレス電話機の親機の待ち受け処理を行うことを特徴とする請求項１記載の複合移動通信端末。
【請求項３】
前記ハンズフリー通話時に外部に対して発信を行う場合、前記切替え手段を前記ハンズフリー通話時の接続に切替え、前記コードレス電話機の親機からの発信を前記ＰＨＳの無線機器を介して前記携帯電話の無線機器に転送することを特徴とする請求項１または請求項２記載の複合移動通信端末。
【請求項４】
前記ハンズフリー通話時に外部からの着信を行う場合、前記切替え手段を前記ハンズフリー通話時の接続に切替え、前記携帯電話の無線機器への着信を前記ＰＨＳの無線機器を介して前記コードレス電話機の親機に転送することを特徴とする請求項１から請求項３のいずれか記載の複合移動通信端末。
【請求項５】
前記携帯電話の無線機器は、前記ＰＨＳの無線機器を含むことを特徴とする請求項１から請求項４のいずれか記載の複合移動通信端末。
【請求項６】
携帯電話の無線機器と、コードレス電話機の親機に無線接続可能なＰＨＳ（Ｐｅｒｓｏｎａｌ  Ｈａｎｄｙｐｈｏｎｅ  Ｓｙｓｔｅｍ）の無線機器と、通話相手の音声を出力するスビーカ及び使用者の音声を入力するマイクとを含む複合移動通信端末が設置自在な車載ハンズフリーシステムであって、
前記複合移動通信端末に設けられかつ前記携帯電話の無線機器と前記ＰＨＳの無線機器と前記スピーカ及び前記マイクとの接続を携帯電話の無線機器による通話時とＰＨＳの無線機器による通話時と前記携帯電話の無線機器による通話をハンズフリーにて実現するハンズフリー通話時とに応じて切替える切替え手段と、
前記複合移動通信端末に設けられかつ自機の待ち受け状態において一定時間毎にＰＨＳ公衆基地局及び前記コードレス電話機の親機の検索を行う手段と、
前記複合移動通信端末に設けられかつその検索で前記コードレス電話機の親機が検索された時に前記コードレス電話機の親機の待ち受け処理を行う手段と、
前記ハンズフリー通話を実現するためのハンズフリー機器と、
前記ＰＨＳの無線機器に無線接続されかつ前記ハンズフリー機器に有線接続されるコードレス電話機の親機とを有し、
前記ハンズフリー通話時に前記携帯電話の無線機器を前記切替え手段によって前記ＰＨＳの無線機器に接続し、前記ＰＨＳの無線機器を介してコードレス電話機の親機に接続することで、前記携帯電話の無線機器を前記コードレス電話機の親機を介して前記ハンズフリー機器に接続し、
前記切替え手段は、前記携帯電話の無線機器による通話時に前記携帯電話の無線機器と前記スピーカ及び前記マイクとを接続し、前記ＰＨＳの無線機器による通話時に前記ＰＨＳの無線機器と前記スピーカ及び前記マイクとを接続し、前記ハンズフリー通話時に前記携帯電話の無線機器と前記ＰＨＳの無線機器とを接続することを特徴とする車載ハンズフリーシステム。
【請求項７】
前記複合移動通信端末は、前記コードレス電話機の親機が検索された時に前記ＰＨＳ公衆基地局の圏外処理を行いかつ検索された前記コードレス電話機の親機の待ち受け処理を行うことを特徴とする請求項６記載の車載ハンズフリーシステム。
【請求項８】
前記ハンズフリー通話時に外部に対して発信を行う場合、前記切替え手段を前記ハンズフリー通話時の接続に切替え、前記コードレス電話機の親機からの発信を前記ＰＨＳの無線機器を介して前記携帯電話の無線機器に転送することを特徴とする請求項６または請求項７記載の車載ハンズフリーシステム。
【請求項９】
前記ハンズフリー通話時に外部からの着信を行う場合、前記切替え手段を前記ハンズフリー通話時の接続に切替え、前記携帯電話の無線機器への着信を前記ＰＨＳの無線機器を介して前記コードレス電話機の親機に転送することを特徴とする請求項６から請求項８のいずれか記載の車載ハンズフリーシステム。
【請求項１０】
前記携帯電話の無線機器は、前記ＰＨＳの無線機器を含むことを特徴とする請求項６から請求項９のいずれか記載の車載ハンズフリーシステム。
【発明の詳細な説明】
【０００１】
【発明の属する技術分野】
本発明は複合移動通信端末及びそれを用いる車載ハンズフリーシステムに関し、特に車載用コードレスハンズフリーに対応した移動通信端末に関する。
【０００２】
【従来の技術】
従来、携帯電話機やＰＨＳ（Ｐｅｒｓｏｎａｌ  Ｈａｎｄｙｐｈｏｎｅ  Ｓｙｓｔｅｍ）、及び車載電話機等の移動通信端末においては、その端末を手に取ることなく通話を可能とするハンズフリーシステムが用いられている。
【０００３】
このハンズフリーシステムは自動車運転中に移動通信端末を使用する際に、片手操作を行うことへの安全性を配慮したシステムである。このハンズフリーシステムとしては、例えば移動通信端末が受信した信号を無線にて子機に送信し、子機に備えたイヤフォンにて音声を聞くものがある。
【０００４】
【発明が解決しようとする課題】
上述した従来の移動通信端末では、自動車運転中に使用する際の片手操作に対する安全性を配慮するためにハンズフリーシステムが用いられているが、移動通信端末の車載ハンズフリーへの接続がケーブル接続にて行われている。
【０００５】
通常、移動通信端末は使用者のポケットまたはバッグに入れられている場合が多く、車載ハンズフリーとして使用する場合、いちいちポケット等から取出してハンズフリー機器との接続を行わなければならず、それ専用のホルダを設置する必要がある。
【０００６】
そこで、本発明の目的は上記の問題点を解消し、ケーブル接続や専用ホルダの設置を行うことなく、車載ハンズフリーの使い勝手を向上させることができる複合移動通信端末及びそれを用いる車載ハンズフリーシステムを提供することにある。
【０００７】
【課題を解決するための手段】
本発明による複合移動通信端末は、携帯電話の無線機器と、コードレス電話機の親機に無線接続可能なＰＨＳ（Ｐｅｒｓｏｎａｌ  Ｈａｎｄｙｐｈｏｎｅ  Ｓｙｓｔｅｍ）の無線機器と、通話相手の音声を出力するスビーカ及び使用者の音声を入力するマイクとを含む複合移動通信端末であって、
前記携帯電話の無線機器と前記ＰＨＳの無線機器と前記スピーカ及び前記マイクとの接続を携帯電話の無線機器による通話時とＰＨＳの無線機器による通話時と前記携帯電話の無線機器による通話をハンズフリーにて実現するハンズフリー通話時とに応じて切替える切替え手段と、
自機の待ち受け状態において一定時間毎にＰＨＳ公衆基地局及び前記コードレス電話機の親機の検索を行う手段と、
その検索で前記コードレス電話機の親機が検索された時に前記コードレス電話機の親機の待ち受け処理を行う手段とを備え、
前記ハンズフリー通話時に前記携帯電話の無線機器を前記切替え手段によって前記ＰＨＳの無線機器に接続し、前記ＰＨＳの無線機器を介してコードレス電話機の親機に接続することで、前記携帯電話の無線機器を前記ハンズフリー通話を実現するためのハンズフリー機器に前記コードレス電話機の親機を介して接続し、
前記切替え手段は、前記携帯電話の無線機器による通話時に前記携帯電話の無線機器と前記スピーカ及び前記マイクとを接続し、前記ＰＨＳの無線機器による通話時に前記ＰＨＳの無線機器と前記スピーカ及び前記マイクとを接続し、前記ハンズフリー通話時に前記携帯電話の無線機器と前記ＰＨＳの無線機器とを接続している。
【０００８】
本発明による車載ハンズフリーシステムは、携帯電話の無線機器と、コードレス電話機の親機に無線接続可能なＰＨＳ（Ｐｅｒｓｏｎａｌ  Ｈａｎｄｙｐｈｏｎｅ  Ｓｙｓｔｅｍ）の無線機器と、通話相手の音声を出力するスビーカ及び使用者の音声を入力するマイクとを含む複合移動通信端末が設置自在な車載ハンズフリーシステムであって、
前記複合移動通信端末に設けられかつ前記携帯電話の無線機器と前記ＰＨＳの無線機器と前記スピーカ及び前記マイクとの接続を携帯電話の無線機器による通話時とＰＨＳの無線機器による通話時と前記携帯電話の無線機器による通話をハンズフリーにて実現するハンズフリー通話時とに応じて切替える切替え手段と、
前記複合移動通信端末に設けられかつ自機の待ち受け状態において一定時間毎にＰＨＳ公衆基地局及び前記コードレス電話機の親機の検索を行う手段と、
前記複合移動通信端末に設けられかつその検索で前記コードレス電話機の親機が検索された時に前記コードレス電話機の親機の待ち受け処理を行う手段と、
前記ハンズフリー通話を実現するためのハンズフリー機器と、
前記ＰＨＳの無線機器に無線接続されかつ前記ハンズフリー機器に有線接続されるコードレス電話機の親機とを備え、
前記ハンズフリー通話時に前記携帯電話の無線機器を前記切替え手段によって前記ＰＨＳの無線機器に接続し、前記ＰＨＳの無線機器を介してコードレス電話機の親機に接続することで、前記携帯電話の無線機器を前記コードレス電話機の親機を介して前記ハンズフリー機器に接続し、
前記切替え手段は、前記携帯電話の無線機器による通話時に前記携帯電話の無線機器と前記スピーカ及び前記マイクとを接続し、前記ＰＨＳの無線機器による通話時に前記ＰＨＳの無線機器と前記スピーカ及び前記マイクとを接続し、前記ハンズフリー通話時に前記携帯電話の無線機器と前記ＰＨＳの無線機器とを接続している。
【０００９】
すなわち、本発明の複合移動通信端末は、携帯電話とＰＨＳの無線機器とを内蔵しており、車載時にＰＨＳのコードレス機能を使用してハンズフリーシステムに対応することで、ハンズフリー機器との面倒な接続及び端末の固定設置をなくすことが可能となり、車載ハンズフリーの使い勝手を向上することが可能となる。
【００１０】
より具体的に、本発明の複合移動通信端末は、携帯電話及びＰＨＳで通話する場合、音声パス切替部で携帯電話及びＰＨＳの接続先を切替えることで、つまりハンズフリーモード時に携帯電話とＰＨＳとを接続するよう切替えることで、ＰＨＳを通してコードレス電話機の親機に接続されたハンズフリー機器が使用可能となり、ハンズフリーモードでの通話が実現される。
【００１１】
【発明の実施の形態】
次に、本発明の一実施例について図面を参照して説明する。図１は本発明の一実施例による複合移動通信端末の構成を示すブロック図である。図１において、本発明の一実施例による複合移動体通信端末は携帯無線部１と、携帯変復調部２と、携帯音声処理部３と、ＰＨＳ無線部４と、ＰＨＳ変復調部５と、ＰＨＳ音声処理部６と、スピーカ７と、マイク８と、音声パス切替部９と、記憶部１０と、制御部１１と、タイマ１２と、トーン発生部１３と、操作部１４と、表示部１５と、携帯のアンテナ１６と、ＰＨＳのアンテナ１７とから構成されている。
【００１２】
携帯無線部１は信号の送受信を高周波にて行い、携帯変復調部２は携帯無線部１からの高周波信号を低周波信号に変換し、与えられた低周波信号を高周波信号に変換して携帯無線部１に出力する。携帯音声処理部３は音声信号の処理を行う。
【００１３】
ＰＨＳ無線部４は信号の送受信を高周波にて行い、ＰＨＳ復調部５はＰＨＳ無線部４からの高周波信号を低周波信号に変換し、与えられた低周波信号を高周波信号に変換してＰＨＳ無線部４に出力する。ＰＨＳ音声処理部６は音声信号の処理を行う。スピーカ７は通話相手の音声を出力し、マイク８は使用者の音声を入力する。
【００１４】
音声パス切替部９は携帯無線部１と携帯変復調部２と携帯音声処理部３とによる携帯電話通話と、ＰＨＳ無線部４とＰＨＳ変復調部５とＰＨＳ音声処理部６とによるＰＨＳ通話と、ハンズフリー通話との切替えを行う。
【００１５】
すなわち、音声パス切替部９は携帯電話通話時にスピーカ７及びマイク８を携帯音声処理部３に接続し、ＰＨＳ通話時にスピーカ７及びマイク８をＰＨＳ音声処理部６に接続し、ハンズフリー通話時に携帯音声処理部３とＰＨＳ音声処理部６とを接続することで、上記の切替えを行う。
【００１６】
制御部１１は複合移動通信端末の各部の制御を行う。また、制御部１１はハードウェア制御部１１ａと、携帯通信プロトコル１１ｂと、ＰＨＳ通信プロトコル１１ｃと、エアー監視部１１ｄと、インターフェース部１１ｅとから構成されている。
【００１７】
ハードウェア制御部１１ａは携帯音声処理部３とＰＨＳ音声処理部６と音声パス切替部９とをそれぞれ制御する。携帯通信プロトコル１１ｂは携帯電話の通信プロトコルを実現し、ＰＨＳ通信プロトコル１１ｃはＰＨＳの通信プロトコルを実現する。
【００１８】
エアー監視部１１ｄは携帯電話及びＰＨＳの着信、発信、圏内／圏外等を監視する。インターフェース部１１ｅはトーン発生部１３と操作部１４と表示部１５とに対するインターフェースとなる。
【００１９】
記憶部１０は携帯電話及びＰＨＳの電話番号や携帯電話及びＰＨＳ固有の情報等を記憶する。タイマ１２は時間計測を行い、トーン発生部１３は着信音等を発する。操作部１４は操作キー等を含み、表示部１５は液晶表示器等で実現される。
【００２０】
図２は本発明の一実施例による車載ハンズフリーシステムの構成を示すブロック図である。図２においては携帯受信エリアと、ＰＨＳ受信エリアと、車載ＰＨＳ屋内受信エリア（コードレス電話機の親機の受信エリア）とを示している。
【００２１】
上記の携帯電話エリア内にはコードレス電話機の親機２２と、携帯基地局（携帯ＣＳ）２３と、ＰＨＳ公衆基地局（ＰＨＳ公衆ＣＳ）２４−１〜２４−３とが設置されている。
【００２２】
尚、コードレス電話機の親機２２の車載ＰＨＳ屋内受信エリア及びＰＨＳ公衆ＣＳ２４−１〜２４−３のＰＨＳ受信エリアは各々近傍に図示する円形エリアで示している。
【００２３】
また、コードレス電話機の親機２２にはハンズフリー機器２１が接続されており、複合移動通信端末２０がコードレス電話機の親機２２を介してハンズフリー機器２１に接続することでハンズフリー機能が実現される。複合移動通信端末２０は上述した図１に示す構成となっている。
【００２４】
図３はＰＨＳのサービスの概要を示す図である。図３において、ＰＨＳのサービスとしては自営サービスと、トランシーバサービスと、公衆サービスとがある。自営サービスには事務所用構内交換機に接続する自営サービスＡと、家庭用コードレス電話機に接続する自営サービスＢと、家庭用アンテナを介して公衆システムに接続する自営サービスＣと、事務所用アンテナを介して公衆システムに接続する自営サービスＤとがある。トランシーバサービスはトランシーバに接続するサービスである。公衆サービスは屋外公衆基地局（公衆ＣＳ）に接続するサービスである。
【００２５】
本発明の一実施例による複合移動通信端末２０はＰＨＳが接続可能なコードレス電話機の親機２２を車載用のハンズフリー機器２１に接続して使用するところに特徴がある。
【００２６】
また、本発明の一実施例による複合移動通信端末２０では説明を簡単にするために、複合移動通信端末２０のＰＨＳのサービスとして公衆サービス及び自営サービスＣのみが登録されている場合について説明を行う。さらに、自営サービスＣとしては車載用のハンズフリー機器２１が接続されたコードレス電話機の親機２２とのみ通信を行うものとする。
【００２７】
図４は本発明の一実施例による複合移動通信端末２０の電源ＯＮ時のＰＨＳのＣＳ検索動作を示すフローチャートであり、図５は本発明の一実施例による複合移動通信端末２０の待ち受け時のＰＨＳのＣＳ検索動作を示すフローチャートである。これら図１〜図４を参照して本発明の一実施例による複合移動通信端末２０の動作について説明する。
【００２８】
まず、複合移動通信端末２０の電源をＯＮにすると、携帯電話及びＰＨＳ各々の機能がそれぞれ立上り、無線基地局との位置登録動作等が行われ、待ち受け状態に移行する。ここで、ＰＨＳのＣＳ検索動作について図４を用いて説明する。
【００２９】
複合移動通信端末２０は電源ＯＮでＣＳ検索を行う（図４ステップＳ１）。ここでのＣＳ検索はＰＨＳ公衆ＣＳ２４−１〜２４−３及びコードレス電話機の親機２２の両方の検索を行う。
【００３０】
複合移動通信端末２０は検索終了後にＣＳがあるかどうかを判定し（図４ステップＳ２）、ＣＳが全くなければ圏外と判断し、圏外処理を行い（図４ステップＳ６）、待ち受けモードに移行する。
【００３１】
複合移動通信端末２０はＣＳがあれば、そのＣＳにコードレス電話機の親機２２があるかどうかを判定し（図４ステップＳ３）、コードレス電話機の親機２２がなければ公衆待ち受け処理を行い（図４ステップＳ５）、待ち受けモードに移行する。また、複合移動通信端末２０はそのＣＳにコードレス電話機の親機２２があれば、コードレス電話機待受処理を行い（図４ステップＳ４）、待ち受けモードに移行する。
【００３２】
図５に示す処理動作は待ち受け（モード）状態におけるＣＳの検索フローであり、複合移動通信端末２０は一定時間毎にＣＳの検索を行っている。まず、複合移動通信端末２０はタイマ１２のセットを行い（図５ステップＳ１１）、タイムアウト判定でタイムアウトと判定すると（図５ステップＳ１２）、圏内／圏外判定を行う（図５ステップＳ１３）。
【００３３】
複合移動通信端末２０は圏外の場合に圏外タイムアウト状態へ移行し、圏内の場合に現在待ち受けているＣＳの判定を行う（図５ステップＳ１４）。複合移動通信端末２０は待ち受けているＣＳがコードレス電話機の親機２２であれば、ＣＳ検索を行わないで待ち受けモードに戻る。
【００３４】
また、複合移動通信端末２０は現在待ち受けているＣＳがＰＨＳ公衆ＣＳ２４−１〜２４−３であれば、コードレス電話機の親機２２の検索を行う（図５ステップＳ１５）。複合移動通信端末２０はコードレス電話機の親機２２の検索終了後に、コードレス電話機の親機２２の判定を行う（図５ステップＳ１６）。
【００３５】
複合移動通信端末２０はコードレス電話機の親機２２があれば、現在待ち受けているＰＨＳ公衆ＣＳ２４−１〜２４−３の圏外処理を行って、検索したコードレス電話機の親機２２の待ち受け処理を行い（図５ステップＳ１７）、待ち受けモードに移行する。複合移動通信端末２０はコードレス電話機の親機２２がなければ、待ち受けモードに戻る。尚、上述したＣＳ検索処理及び検索判定は制御部１１のエアー監視部１１ｄで行われる。
【００３６】
図６は図１の音声パス切替部９の内部構成を示すブロック図であり、図７は図１の音声パス切替部９の接続状態を示す図である。これら図６及び図７を参照して本発明の一実施例による複合移動通信端末２０におけるＰＨＳ通話と携帯電話通話とハンズフリー通話との音声パスの切替え動作について説明する。
【００３７】
ここで、音声パス切替部９内部には接続端子Ａ〜Ｆが配設されており、接続端子Ａは携帯音声処理部３の出力に接続され、接続端子Ｂは携帯音声処理部３の入力に接続されている。また、接続端子Ｃはスピーカ７に接続され、接続端子Ｄはマイク８に接続されている。さらに、接続端子ＥはＰＨＳ音声処理部６の出力に接続され、接続端子ＦはＰＨＳ音声処理部６の入力に接続されている。
【００３８】
まず、複合移動通信端末の待ち受け時には、音声パス切替部９の内部において、図７の［１］に示すように、接続端子Ａ〜Ｆ各々の間の接続を行わない。複合移動通信端末２０で携帯電話通話を行う場合には、音声パス切替部９の内部において、図７の［２］に示すように、接続端子Ａと接続端子Ｃとを接続し、接続端子Ｂと接続端子Ｄとを接続する。つまり、音声パス切替部９では携帯電話通話時に携帯音声処理部３の出力をスピーカ７に接続し、携帯音声処理部３の入力をマイク８に接続する。
【００３９】
また、複合移動通信端末２０でＰＨＳ通話を行う場合には、音声パス切替部９の内部において、図７の［３］に示すように、接続端子Ｃと接続端子Ｅとを接続し、接続端子Ｄと接続端子Ｆとを接続する。つまり、音声パス切替部９ではＰＨＳ通話時にＰＨＳ音声処理部６の出力をスピーカ７に接続し、ＰＨＳ帯音声処理部６の入力をマイク８に接続する。
【００４０】
さらに、複合移動通信端末２０でハンズフリー接続を行う場合には、音声パス切替部９の内部において、図７の［４］に示すように、接続端子Ａと接続端子Ｆとを接続し、接続端子Ｂと接続端子Ｅとを接続する。
【００４１】
つまり、音声パス切替部９ではハンズフリー接続時に携帯音声処理部３の出力をＰＨＳ音声処理部６の入力に接続し、携帯音声処理部３の入力をＰＨＳ帯音声処理部６の出力に接続する。これによって、複合移動通信端末２０がＰＨＳ機能を介してコードレス電話機の親機２２に接続され、コードレス電話機の親機２２を通してハンズフリー機器２１に接続されることとなる。
【００４２】
次に、本発明の一実施例による複合移動通信端末２０におけるハンズフリー時の着信動作及び発信動作について以下に説明する。
【００４３】
本発明の一実施例による複合移動通信端末２０においてはハンズフリー時の発信の場合、コードレス電話機の親機２２に、待ち受けている複合移動通信端末２０のＰＨＳへ着信をかける。
【００４４】
この場合、ＰＨＳ通信プロトコル部１１ｃからエアー監視部１１ｄにその旨が伝えられ、エアー監視部１１ｄはＰＨＳ通信プロトコル部１１ｃから受け取った電話番号で携帯通信プロトコル部１１ｂに発信をかけるとともに、ハードウェア制御部１１ａを介して音声パス切替部９をハンズフリー時の接続に切替える。これによって、複合移動通信端末２０はコードレス電話機の親機２２を介してハンズフリー機器２１に接続される。
【００４５】
また、本発明の一実施例による複合移動通信端末２０においてはハンズフリー時の着信の場合、まず複合移動通信端末２０の携帯電話への着信がかかり、エアー監視部１１ｄが待ち受けているコードレス電話機の親機２２に対して着信転送をかけるとともに、ハードウェア制御部１１ａを介して音声パス切替部９をハンズフリー時の接続に切替える。これによって、複合移動通信端末２０はコードレス電話機の親機２２を介してハンズフリー機器２１に接続される。
【００４６】
このように、使用者が車載ハンズフリーを使用する場合、従来の方法であれば、移動体端末と車載ハンズフリー機器とをケーブルで接続する必要があり、ケーブル接続を安定するために移動機本体の専用ホルダ等への設置が必要であるが、本発明のように、複合移動通信端末２０のＰＨＳ部のコードレス通信機能を車載時のハンズフリー通話に使用することで、使用者の使い勝手を向上させることができる。すなわち、複合移動通信端末２０のＰＨＳ部のコードレス機能を用いることで、コードレス電話機の親機２２を通して車載のハンズフリー機器２１をコードレス化することができる。
【００４７】
尚、上述した説明では複合移動通信端末に携帯無線部１と携帯変復調部２と携帯音声処理部３とからなる携帯電話機能と、ＰＨＳ無線部４とＰＨＳ変復調部５とＰＨＳ音声処理部６とからなるＰＨＳ機能とを搭載している場合について述べたが、携帯電話機能の代わりにＰＨＳ機能をもう１系統搭載することによって、上記と同様のハンズフリーシステムを構成することができ、車載のハンズフリー機器２１へのコードレス化が可能となる。
【００４８】
【発明の効果】
以上説明したように本発明によれば、携帯電話機能とコードレス電話機の親機に無線接続可能なＰＨＳ機能と音声の外部との授受を行う音声入出力機器とを含む複合移動通信端末において、携帯電話機能とＰＨＳ機能と音声入出力機器との接続を携帯電話通話とＰＨＳ通話とハンズフリー通話とに応じて切替える切替え手段を備え、ＰＨＳ機能をコードレス電話機の親機を通して携帯電話機能による通話をハンズフリーにて実現するためのハンズフリー機器に接続することによって、ケーブル接続や専用ホルダの設置を行うことなく、車載ハンズフリーの使い勝手を向上させることができるという効果がある。
【図面の簡単な説明】
【図１】本発明の一実施例による複合移動通信端末の構成を示すブロック図である。
【図２】本発明の一実施例による複合移動通信端末を用いたシステム構成を示すブロック図である。
【図３】ＰＨＳのサービスの概要を示す図である。
【図４】本発明の一実施例による複合移動通信端末の電源ＯＮ時のＰＨＳのＣＳ検索動作を示すフローチャートである。
【図５】本発明の一実施例による複合移動通信端末の待ち受け時のＰＨＳのＣＳ検索動作を示すフローチャートである。
【図６】図１の音声パス切替部の内部構成を示すブロック図である。
【図７】図７は図１の音声パス切替部の接続状態を示す図である。
【符号の説明】
１  携帯無線部
２  携帯変復調部
３  携帯音声処理部
４  ＰＨＳ無線部
５  ＰＨＳ変復調部
６  ＰＨＳ音声処理部
７  スピーカ
８  マイク
９  音声パス切替部
１０  記憶部
１１  制御部
１１ａ  ハードウェア制御部
１１ｂ  携帯通信プロトコル
１１ｃ  ＰＨＳ通信プロトコル
１１ｄ  エアー監視部
１１ｅ  インターフェース部
１２  タイマ
１３  トーン発生部
１４  操作部
１５  表示部
１６  携帯のアンテナ
１７  ＰＨＳのアンテナ
２０  複合移動通信端末
２１  ハンズフリー機器
２２  コードレス電話機の親機
２３  携帯基地局
２４−１〜２４−３  ＰＨＳ公衆基地局
Ａ〜Ｆ  接続端子
【図１】
0003716137.tif 000002
【図２】
0003716137.tif 000003
【図３】
0003716137.tif 000004
【図４】
0003716137.tif 000005
【図５】
0003716137.tif 000006
【図６】
0003716137.tif 000007
【図７】
0003716137.tif 000008